(57)【要約】【課題】  部品点数が少なく構造が簡単であって、安価であり、操作、使い勝手が良好で、然も、洗濯物の内側への空気の通りが良く乾燥効率の優れたハンガーを提供する。【解決手段】  金属製の杆状部材を折り曲げることで先端部にフック２ａを有する首部２と、首部２に連なる吊下部３を備えたハンガー１であって、吊下部３は、外側に凸の半円弧状の右方腕部４と左方腕部５とからなり、フック２ａは、右方腕部４と左方腕部５の内側のほぼ中央上方に位置し、右方腕部４と左方腕部５の先端部が接近していることを特徴とする。【選択図】  図１
0003114131.tif 000002
【実用新案登録請求の範囲】
【請求項１】
先端部にフックを有する首部と、該首部に連なる吊下部を備えたハンガーであって、
該吊下部は、外側に凸形状の左方腕部と右方腕部とからなり、
前記フックは、前記左方腕部と右方腕部の内側のほぼ中央上方に位置し、
前記左方腕部と右方腕部の先端部が接近していることを特徴とするハンガー。
【請求項２】
前記左方腕部と右方腕部の先端部が対向していることを特徴とする請求項１記載のハンガー。
【請求項３】
前記吊下部の左方腕部と右方腕部は、半円弧状であることを特徴とする請求項１または２記載のハンガー。
【請求項４】
前記首部および前記吊下部が杆状部材からなることを特徴とする請求項１、２または３記載のハンガー。
【請求項５】
前記首部の基端部で、前記首部と前記吊下部とが一体連結されてなることを特徴とする請求項１、２、３または４記載のハンガー。
【請求項６】
前記フックが、前記左方腕部と右方腕部の内側のほぼ中央上方に位置し、ハンガーの重心が前記首部のフックより基端部寄りに設定されてなることを特徴とする請求項１、２、３、４または５記載のハンガー。
【請求項７】
前記首部は回動機構によって吊下位置と退避位置との間で前記吊下部に対し回動可能となっていることを特徴とする請求項１、２、３、４、５または６記載のハンガー。
【考案の詳細な説明】
【技術分野】
【０００１】
この考案は、ハンガーに関するものである。さらに詳しくは、この考案は、洗濯物、例えば、ズボン等の乾燥に好適なハンガーに関するものである。
【背景技術】
【０００２】
ズボン類は乾燥し難いものであることから、従来より種々のズボン類に適したハンガーが開発されている。例えば、特許文献１に記載のハンガーは、ハンガー本体の中央部にフックを立設し、ハンガー本体の一方に、支持軸を常時伸張する方向に付勢して摺動自在に設けると共に、支持軸の遊端部に吊掛け部を設け、ハンガー本体の他方に支持枠を突設し、支持枠の遊端側であって、両側に所定間隔を隔てた２点位置と、これら２点間の中央であって、且つ内方へ所定間隔を隔てた位置との３点位置に吊掛け部を配設したものである。
このハンガーによれば、支持軸を伸縮させ、支持軸に生ずる付勢力を利用して、ズボンのウエスト部を４つの吊掛け部で支持することで、ウエスト部に空間部が形成された状態にズボンを吊り掛け、ウエスト部に形成された空間部を通して内部にも空気を流すことで、ズボンの乾燥時間を短縮することができる。
【特許文献１】実公平１−３５７４９号公報（第４図）
【考案の開示】
【考案が解決しようとする課題】
【０００３】
しかしながら、特許文献１に記載のハンガーは、部品点数が多く構造が複雑で、高価となる。そして、ズボンを吊り掛けるのに、支持軸を伸縮させて、ズボンのウエスト部を吊掛け部で支持するようにするとともに、他の３つの吊掛け部にも上手く支持させることが、ズボンのずり落ち防止等のために必要であり、その操作は煩雑で熟練を要し、使い勝手が良好とはいえない。また、ハンガーに吊り掛けられたズボンのウエスト部は拡開が不十分であって、ズボンの内部への空気の通りが十分とはいえず、例えば、ズボンがジーンズのように厚手となると、その乾燥にかなりの時間を必要とする。
この考案は、上記のような実情に鑑み鋭意研究の結果創案されたものであり、部品点数が少なく構造が簡単であって、安価であり、操作、使い勝手が良好で、然も、洗濯物の内側への空気の流入、流出が良く乾燥効率の優れたハンガーを提供することを目的としている。
【課題を解決するための手段】
【０００４】
上記課題を解決するために、この出願の考案は、（１）先端部にフックを有する首部と、該首部に連なる吊下部を備えたハンガーであって、該吊下部は、外側に凸形状の左方腕部と右方腕部とからなり、前記フックは、前記左方腕部と右方腕部の内側のほぼ中央上方に位置し、前記左方腕部と右方腕部の先端部が接近していることを特徴とする。
（２）前記（１）において、前記左方腕部と右方腕部の先端部が対向していることが好ましい。
（３）前記（１）または（２）において、前記吊下部の左方腕部と右方腕部は、半円弧状であることが好ましい。
（４）前記（１）〜（３）のいずれかにおいて、前記首部および前記吊下部が杆状部材からなることが好ましい。
（５）前記（１）〜（４）のいずれかにおいて、前記首部の基端部で、前記首部と前記吊下部とが一体連結されてなることが好ましい。
（６）前記（１）〜（５）のいずれかにおいて、前記フックが、前記左方腕部と右方腕部の内側のほぼ中央上方に位置し、ハンガーの重心が前記首部のフックより基端部寄りに設定されてなることが好ましい。
（７）前記（１）〜（６）のいずれかにおいて、前記首部は回動機構によって吊下位置と退避位置との間で前記吊下部に対し回動可能となっていることが好ましい。
【考案の効果】
【０００５】
この考案は、以上説明したように構成されているので、以下に記載されるような効果を奏する。
すなわち、この考案のハンガーによれば、その吊下部の左方腕部と右方腕部を、例えば、洗濯したズボンのベルト通しに挿通することで、ズボンのウエスト部が外側に凸形状の左方腕部と右方腕部に沿って、あたかもズボンを穿いた時のように広く膨らんで開口し、ズボンの内側に空気の通りのよい空間が形成されることになる。その状態において、屋外で自然乾燥、または、工業用乾燥機の乾燥室内で乾燥を行なうと、空気はズボンの外側だけでなく、ウエスト部の開口を通ってズボンの内側もよく流れ、短時間で効率よく乾燥されることになる。そして、前記したようにズボンのウエスト部が、外側に凸形状の左方腕部と右方腕部に沿って、あたかもズボンを穿いた時のように広く膨らんで開口し、その状態で乾燥することから、ズボンにシワ等が生じにくく、良好な仕上がりともなる。
そして、この考案のハンガーでは、例えば、洗濯したズボンを乾燥させるに際し、ズボンのウエスト部の内側に空気の流入、流出し易い空間を形成するのに、前記したように吊下部の左方腕部と右方腕部をベルト通しに挿通するといった、簡単な操作だけでよく、熟練を要せず、使い勝手がよい。
また、この考案のハンガーは、部品点数が少なく構造が簡単であって、製造が容易で、安価である。
【考案を実施するための最良の形態】
【０００６】
以下、考案を実施するための最良の形態を示し、さらに詳しくこの考案について説明する。もちろんこの考案は以下の実施の形態によって限定されるものではない。
図１は、この考案のハンガーの一実施の形態を示す斜視図である。
図１に示すハンガー１は、金属製の杆状部材を折り曲げることで形成されており、先端部にフック２ａを有する首部２と、首部２に連なる吊下部３を備え、吊下部３は、外側に凸の半円弧状の右方腕部４と左方腕部５とからなり、フック２ａは、右方腕部４と左方腕部５の内側のほぼ中央上方に位置し、右方腕部４と左方腕部５の先端部４ａ、５ａが接近しているものである。
【０００７】
より具体的には、首部２は先端部にフック２ａが折り曲げ形成され、フック２ａに続く中間部が傾斜したものとなっており、基端部２ｂが後方に向かい稍水平方向に折れ曲がっている。そして、首部２の基端部２ｂにおいて、吊下部３が一体に連結されている。吊下部３は、先端部４ａ、５ａが対向した円環状の部材からなり、両先端部４ａ、５ａから等距離の位置で首部２の基端部と連結している。従って、ハンガー１の吊下部３は、首部２との連結部を起点として、外側に凸に湾曲した半円弧状の右方腕部４と左方腕部５が等距離延びたものであって、両先端部４ａ、５ａは接近・対向している。
右方腕部４の先端部４ａと左方腕部５の先端部５ａの間隔は、ズボンのベルト通しの厚さよりもやや広く設定されていることが好ましい。
【０００８】
フック２ａは、右方腕部４と左方腕部５の内側のほぼ中央上方に位置し、ハンガー１の重心が首部２のフック２ａより基端部２ｂ寄りに設定されており、図２の側面図で示すように、ハンガー１を、例えば、物干し竿１０に吊した時に、吊下部３が水平でなく、連結部７に対し右方腕部４と左方腕部５の先端部４ａ、５ａに向かって斜め上向きとなる。その時の傾斜角度θとしては、水平面に対し５〜１５゜が好ましい。これによって、後述するように、洗濯したズボンのベルト通しに右方腕部４と左方腕部５を挿通して乾燥させる際、ズボンの片寄り、抜け落ち等が確実に防止されることになる。もちろん、ハンガー１を吊した時、右方腕部４と左方腕部５が水平〜５゜未満であっても実用上支障はない。
首部２と吊下部３の連結は、一体に固定されればよく、その具体的手段は特に限定されるものではないが、図１に示すように溶接が簡便で、安価となることから好ましく、また、接着材を用いて接着してもよい。
【０００９】
ハンガーの素材としては、金属の場合は、ステンレスが錆びないことから好ましいが、これに限られるものではなく、鉄等の場合は、塗装、または、合成樹脂皮膜で被覆すればよい。
ハンガーの素材が合成樹脂等の場合は、一体成形することが好ましい。
【００１０】
次に、図１に示すハンガー１の使用方法を、洗濯物としてズボンの場合を例にとって説明する。
図３は、洗濯したズボン８のベルト通し９をハンガー１の右方腕部４と左方腕部５に挿通し、物干し竿１０に吊り下げた状態を示す。
図３に示すように洗濯したズボン８をハンガー１に吊すには、先ず、ハンガー１とズボン８のウエスト部を手で持ち、ハンガー１の右方腕部４と左方腕部５の両先端部４ａ、５ａの間隔を、右方腕部４と左方腕部５との弾性に抗して若干広げ、例えば、ズボン８の左前のベルト通し９より順次臀部側のベルト通しまで通し、同様に、ズボン８の右前のベルト通し９より臀部側のベルト通しまで順次通す。これによって、ズボン８のウエスト部がハンガー１の半円弧状に外側に凸の左方腕部５、右方腕部４に沿って、あたかもズボン８を穿いた時のように広く膨らんで開口し、ズボンの内側に空気の通りのよい空間が形成されることになる。
そして、必要に応じ、ズボン８のチャックを閉めたり、ホックを掛けたりする。
ハンガー１の右方腕部４の先端部４ａと左方腕部５の先端部５ａの間隔を広げるには、両先端部４ａ、５ａが左右に広がるようにしてもよいし、段違いとなるようにしてもよい。
【００１１】
図３に示すように、ハンガー１を物干し竿１０に吊り下げ、その状態において、屋外で自然乾燥、または、工業用乾燥機の乾燥室内で乾燥を行なうと、空気はズボン８の外側だけでなく、ウエスト部の開口を通って内側もよく流れ、短時間で効率よく乾燥されることになる。そして、前記したようにズボン８のウエスト部が、外側に凸の半円弧状の左方腕部と右方腕部に沿って、あたかもズボン８を穿いたように広く膨らんで開口し、その状態で乾燥することから、ズボン８にシワ等が生じにくく、良好な仕上がりともなる。
前述したように、右方腕部４の先端部４ａと左方腕部５の先端部５ａの間隔は、ズボンのベルト通しの厚みよりもやや広く設定されていること、および、フック２ａの位置が、図２の側面図で示すように、ハンガー１を、例えば、物干し竿１０に吊した時に、右方腕部４と左方腕部５が水平でなく、連結部に対し右方腕部４と左方腕部５の先端部４ａ、５ａに向かって斜め上向きとなるように設定されていることから、例えば、ズボン８のホックが外れたり、チャックが開いたりしても、風によって片寄ったり、両先端部４ａ、５ａの間からベルト通しが抜けて、ズボン８がずり落ちたりする恐れがない。
乾燥後、ハンガー１からズボンを取り外すには、吊す際と逆の操作を行えばよい。
ハンガー１としては、ウエスト周りに応じて、複数種、例えば、Ｓ、Ｍ、Ｌ等のサイズの吊下部３を有するものとすることが好ましい。
【００１２】
このハンガーは、部品点数も少なく、構造が単純であって、安価でもある。
図１におけるハンガー１の吊下部の右方腕部４の先端部４ａと左方腕部５の先端部５ａは、対向しているが、これに限られず、ハンガーの使用時に、両先端部４ａ、５ａの間からベルト通しが抜けて、ズボン８がずり落ちたりする恐れがない構造となっていればよく、例えば、両先端部４ａ、５ａが互い違いとなっていてもよいし、両先端部４ａ、５ａがオーバーラップ気味の互い違いとなっていてもよい。
【００１３】
図４は、この考案のハンガーの他の実施の形態を示す部分拡大分解斜視図である。
図４に示されるハンガー１１は、図１に示されるハンガー１とは、首部１２が吊下部１３に形成されたブラケット１４に軸支され、吊下位置と退避位置との間で回動可能とされている点が異なるものである。
首部１２は、中間部と基端部の境界において、くの字形に折れ曲がった扁平部１５となっており、扁平部１５に支軸挿通孔１５ａが穿設されている。
首部１２をブラケット１４に回動可能に軸支するには、首部１２の扁平部１５の支軸挿通孔１５ａとブラケット１４の支軸挿通孔１４ａの軸線を合致させ、支軸１６を挿通し、軸着すればよい。
なお、図示していないが、ブラケット１４と首部１２の扁平部１５との接触面を粗面としたり、座金を介在させたりして、首部１２が自重では回動しないようにしておくことが好ましい。
首部１２を支軸１６を中心に反時計方向に回動すると、首部１２の基端部が、吊下部１３に当接しストッパーとして機能する。
ハンガー１１を使用しない時は、物干し竿等から外し、首部１２を矢印で示す時計方向に回動することで、ハンガー１１が嵩張らないようになり、収納等が容易となる。
その他の構造は、図１に示すハンガー１と同様であることから、詳細な説明は省略する。
【００１４】
図５は、この考案のさらに他の実施の形態を示す部分拡大分解斜視図である。
図５に示すハンガー２１は、首部の吊下位置と退避位置との間の回動機構が図４に示すハンガーと異なるものであって、吊下部２２のブラケット２３にストッパーピン２４が植設され、首部２５の基端部を切欠盤状部２６とし、切欠の上方当接面と下方当接面との間の角度範囲で首部２５を回動することができるようにしたものである。首部２５をブラケット２３に回動可能に軸支するには、切欠盤状部２６の支軸挿通孔２６ａとブラケット２３の支軸挿通孔２３ａの軸線を合致させ、支軸２７を挿通し、軸着すればよい。
なお、この場合も図示していないが、ブラケット２３と首部２５の切欠盤状部２６との接触面を粗面としたり、座金を介在させたりして、首部２５が自重では回動しないようにしておくことが好ましい。
その他の構造は、図１に示されるハンガー１と同様であることから、詳細な説明は省略する。
【００１５】
図６に示すハンガーは、図４、または、図５に示すハンガーにおいて、さらに、フックを首部の軸線を中心に回動できるようにしたもので、ハンガーの不使用時の形態をさらにコンパクトにできる。
より具体的には、図６においては、フック２８を別体とし、フック２８の基部に形成した挿通孔２８ａに、首部２９の先端部に形成した軸部２９ａを挿通して、フック２８を首部２９に軸着するものである。
このような構造により、ハンガーを使用しない時、首部２９を倒し、更に、フック２８を回動することで、フック２８を左方腕部、右方腕部によって形成される面内に納めることができる。
【００１６】
図７に示すハンガー３１は、図１に示すハンガー１とは、首部３２と吊下部３３との連結部３４からの右方腕部３５と左方腕部３６の長さが相違するものである。
その他の構造は、図１に示されるハンガー１と同様であることから、詳細な説明は省略する。
【００１７】
図８に示すハンガー４１は、吊下部を矩形状とした点が、図１に示すハンガー１と相違するものである。すなわち、このハンガー４１の吊下部４２は、平面視コの字状の右方腕部４３とこれと鏡面対称のコの字状の左方腕部４４とから構成されている。
このハンガー４１によれば、右方腕部４３と左方腕部４４が矩形状であって、図１に示すハンガー１の右方腕部４と左方腕部５のように外側に凸の半円弧状に膨らんでいないので、ウエスト部の小さなズボンであっても、そのベルト通しに吊下部を通すことができる利点がある。
その他の構造は、図１に示されるハンガー１と同様であることから、詳細な説明は省略する。
【００１８】
図９に示すハンガー５１は、図１に示すハンガー１とは、首部５２の中間部を逆Ｌ字状とした点が相違するものである。
その他の構成は、図１に示されるハンガー１と同様であることから、詳細な説明は省略する。
【００１９】
図１０は、この考案のハンガーのさらに他の実施形態を示す斜視図である。
図１０に示すハンガー６１は、右方ハンガー部材６２とこれに鏡面対称の左方ハンガー部材６３を固定具６４、６４によって一体に固定したものである。
右方ハンガー部材６２は、合成樹脂被覆金属長尺材を折り曲げて形成したものであって、フックとなる部分が折り曲げ形成された右方首部分６２ａに連続して半円弧状に折り曲げられた右方腕部６２ｂが形成されたものである。左方ハンガー部材６３も合成樹脂被覆金属長尺材を折り曲げて形成したものであって、フックとなる部分が折り曲げ形成された左方首部分６３ａに連続して半円弧状に折り曲げられた左方腕部６３ｂが形成されたものである。
右方ハンガー部材６２と左方ハンガー部材６３は、フックとなる折り曲げ部分と、右方首部分６２ａと左方首部分６３ａの基端部の２箇所で、固定具６４、６４によって固定され、右方首部分６２ａと左方首部分６３ａによって首部が形成され、右方腕部６２ｂと左方腕部６３ｂで吊下部が形成されることになる。固定具としては、例えば、帯状の楕円環状金具、または、プラスチック具を使用すればよい。
合成樹脂被覆金属長尺材の両端には、キャップ６５、６５が被せられている。
固定具に代えて右方首部分６２ａと左方首部分６３ａを接着剤で接着してもよいことはいうまでもない。
【００２０】
図１１は、この考案のハンガーのさらに他の実施形態を示す斜視図である。
図１１に示すハンガー７１は、一本の合成樹脂被覆金属長尺材を折り曲げて右方ハンガー部７２と左方ハンガー部７３を形成し、これを固定具６４によって一体に固定したものである。
その他は、図１０に示されるハンガー６１と同様であることから、詳細な説明は省略する。
【００２１】
この考案のハンガーは、前記したものに限定されず、首部の中間部が、円弧状、クランク状等となっているものであってもよい。
左方腕部、右方腕部の断面形状も円形に限られず、矩形断面形状、楕円断面形状等が採用できる。
洗濯物としても、ズボンに限られず、ベルト通しを有するキュロットスカート等であってもよい。ベルト通しを有しないスカート等を乾燥させるには、例えば、洗濯ばさみ等を、この考案のハンガーの左方腕部、右方腕部に設け、スカートのウエスト部をつまむようにすればよい。
また、洗濯物が、ウエスト部にゴムが通されただけで、ベルト通しを有しないズボンのようなものの場合は、ゴムを伸ばしてウエスト部の内側にハンガーの吊下部を入れ、ゴムの収縮力を利用して、洗濯物がハンガーの吊下部から落ちないようにすればよい。
【図面の簡単な説明】
【００２２】
【図１】この考案のハンガーの一実施の形態を示す斜視図である。
【図２】図１に示すハンガーを物干し竿に吊り下げた状態の側面図である。
【図３】図１に示すハンガーの使用状態を示す斜視図である。
【図４】この考案のハンガーの他の実施の形態を示す部分分解拡大斜視図である。
【図５】この考案のハンガーのさらに他の実施の形態を示す部分分解拡大斜視図である。
【図６】この考案のハンガーのさらに他の実施の形態を示す部分分解拡大斜視図である。
【図７】この考案のハンガーのさらに他の実施の形態を示す斜視図である。
【図８】この考案のハンガーのさらに他の実施の形態を示す斜視図である。
【図９】この考案のハンガーのさらに他の実施の形態を示す斜視図である。
【図１０】この考案のハンガーのさらに他の実施の形態を示す斜視図である。
【図１１】この考案のハンガーのさらに他の実施の形態を示す斜視図である。
【符号の説明】
【００２３】
１  ハンガー
２  首部
２ａ  フック
３  吊下部
４  右方腕部
５  左方腕部
【図１】
0003114131.tif 000003
【図２】
0003114131.tif 000004
【図３】
0003114131.tif 000005
【図４】
0003114131.tif 000006
【図５】
0003114131.tif 000007
【図６】
0003114131.tif 000008
【図７】
0003114131.tif 000009
【図８】
0003114131.tif 000010
【図９】
0003114131.tif 000011
【図１０】
0003114131.tif 000012
【図１１】
0003114131.tif 000013